【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
アセットを放送網のユーザに配信することに関連して使用するための方法であって、放送網が主に放送コンテンツを複数のユーザに同期配信することを含む方法において、
該放送網を介してアセットを配信するための、該アセットの所望のレベルの配信に関係する１つまたは複数の配信パラメータを定義する、要求を受信すること、
該配信要求の条件を実質的に満たすように該放送網の複数の送信帯域上のネットワーク・ユーザを集約すること
を備える方法。
【請求項２】
要求を受信する前記工程は、定義済みパラメータ値に対するグラフィック要素を含むユーザ・インターフェイスを介して、前記配信パラメータを取得することを含む、請求項１に記載の方法。
【請求項３】
前記要求は、ターゲット視聴者の少なくとも１つの分類パラメータを含む、請求項１記載の方法。
【請求項４】
前記視聴者分類パラメータは、年齢、性別、所得水準、個人的関心、または注目する視聴者セグメントの地域のうちの少なくとも１つに関係する、請求項３に記載の方法。
【請求項５】
前記配信パラメータは、所望の配信時刻を含む、請求項１に記載の方法。
【請求項６】
前記配信パラメータは、前記アセットが所定のユーザに配信されるべき所望の回数を含む、請求項１に記載の方法。
【請求項７】
前記所望の回数は、前記アセットを前記所定のユーザに配信する最大回数である、請求項６に記載の方法。
【請求項８】
前記配信パラメータは、前記アセットの配信が望ましくない背景状況を定義する例外を含む、請求項１に記載の方法。
【請求項９】
前記例外は、前記アセットの配信が望ましくないことに関連する番組、番組送信帯域、時刻、または視聴者分類に関係する、請求項８に記載の方法。
【請求項１０】
前記アセットは、番組のブレーク内に挿入され、前記配信パラメータは、好適な視聴者の種類に関して番組を格付けする格付けシステムにおける該番組の格付けに関係する、請求項１に記載の方法。
【請求項１１】
アセットは、該アセットの対象に関係する商品コードに関連付けられ、該アセットの配信は、該アセットまたは該アセットの近くで配信される他のアセットのうちの１つの商品コードに、少なくとも一部は基づいて制御される、請求項１に記載の方法。
【請求項１２】
前記配信パラメータは、番組に関連付けられているテキスト資料に適用可能な検索関数を含む、請求項１に記載の方法。
【請求項１３】
前記検索関数は、前記番組に関連付けられているタイトル、説明、または字幕のうちの１つに関する単語検索を含む、請求項１２に記載の方法。
【請求項１４】
前記配信パラメータは、前記アセットの配信に関連付けられているコスト制約条件を含む、請求項１に記載の方法。
【請求項１５】
受信する前記工程は、アセット・プロバイダに対し前記所望のレベル配信のオークションが掛けられる、オークション機能を実装することを含む、請求項１に記載の方法。
【請求項１６】
集約する前記工程は、時間枠内に前記アセットを前記複数の送信帯域のユーザへ配信させ、該ユーザの総和が実質的に前記配信要求の条件を満たすようにすることを含む、請求項１に記載の方法。
【請求項１７】
前記時間枠は、前記送信帯域上のオーバーラップする番組に対応する、請求項１６に記載の方法。
【請求項１８】
前記アセットは、前記送信帯域の少なくとも１つにおいて全員に満たないユーザに配信される、請求項１６に記載の方法。
【請求項１９】
前記少なくとも１つの送信帯域の前記ユーザは、視聴者分類パラメータに基づいてターゲットにされる、請求項１８に記載の方法。
【請求項２０】
アセットを放送網のユーザに配信する際に使用するための方法であって、放送網が主に放送コンテンツを複数のユーザに同期配信することを含む方法において、
複数の放送網ユーザの機器からの複数のアセット選択を処理すること、
処理されたアセット選択に基づいて、アセットを該複数の放送網のユーザに提供すること
を備える方法。
【請求項２１】
アセットに対するターゲット設定パラメータを含むアセット・リストを前記複数のネットワーク・ユーザの前記機器に送信し、それに応じて前記複数のアセット選択を受信する前記工程をさらに備える、請求項２０に記載の方法。
【請求項２２】
処理の前記工程は、多数のユーザの機器により選択されたアセットを識別することを含む、請求項２０に記載の方法。
【請求項２３】
処理の前記工程は、アセットの配信に関連付けられている大きな経済的価値を有するアセットを識別することを含む、請求項２０に記載の方法。
【請求項２４】
処理の前記工程は、アセットを識別する際にアセット・プロバイダの素性を考慮することを含む、請求項２０に記載の方法。
【請求項２５】
アセットを提供する前記工程は、単一の時間帯に対応する複数のアセットの選択肢を提供することを含む、請求項２０に記載の方法。
【請求項２６】
前記アセットの選択肢は、前記時間帯と同期して送信される、請求項２５に記載の方法。
【請求項２７】
前記アセットの配信に関するレポートを前記複数のユーザの前記機器から受信することをさらに備える、請求項２０に記載の方法。
【請求項２８】
前記レポートに基づいて前記アセットの配信に関連付けられている経済的価値を決定することをさらに備える、請求項２７に記載の方法。
【請求項２９】
コンテンツを放送網のユーザに配信するシステムであって、放送網が主にコンテンツを複数のユーザに同期配信することを含むシステムにおいて、
コンテンツを該ユーザの機器に配信するオペレーション・センターと、
該ユーザの該機器からの投票を処理し、かつ該処理済み投票に基づいて送信対象のアセットを選択するコンテンツ選択プロセッサと
を備えるシステム。
【請求項３０】
前記コンテンツ選択プロセッサにより指令されたときに、前記放送網上でアセットを送信するコンテンツ同期装置をさらに備える、請求項２９に記載のシステム。
【請求項３１】
前記アセットの配信は、前記アセットを番組のストリーム内に挿入すること、送信帯域をアセット送信帯域に切り替えること、またはそれらの組み合わせを含む、請求項３０に記載のシステム。
【請求項３２】
前記ユーザの前記機器は、加入者宅内機器を含む、請求項２９に記載のシステム。
【請求項３３】
前記加入者宅内機器は、前記要求を生成し、前記要求を前記コンテンツ選択プロセッサに送る、請求項３２に記載のシステム。
【請求項３４】
前記コンテンツ選択プロセッサおよび前記コンテンツの同期装置は、それぞれの前記加入者宅内機器上に常駐し、それぞれの前記加入者宅内機器は、前記コンテンツ選択プロセッサにより取り出される前記アセットを格納する記憶装置要素を備える、請求項３２に記載のシステム。
【請求項３５】
前記ユーザの前記機器は、前記アセットの配信を示すレポートを生成する、請求項２９に記載のシステム。
【請求項３６】
前記レポートに基づいて前記アセットの前記配信に対する値を計算するトラフィックおよび課金モジュールをさらに備える、請求項２９に記載のシステム。
【請求項３７】
前記アセットは、年齢、性別、所得水準、地域、個人的関心、またはそれらの組み合わせを含む視聴者分類に基づき、前記ユーザをターゲットとする、請求項２９に記載のシステム。
【請求項３８】
前記加入者宅内機器は、前記投票を生成することに関連して加入者宅内機器の異なるユーザを区別するように動作する、請求項３２に記載のシステム。
【請求項３９】
前記加入者宅内機器は、ユーザが該機器のところに存在しているかいないかを検出し、該存在しているかいないかに基づいて投票を選択的に生成するように動作する、請求項３２に記載のシステム。
【請求項４０】
前記加入者宅内機器は、前記投票を生成することに関連して前記加入者宅内機器を複数のユーザに関連付けるように動作する、請求項３２に記載のシステム。
【請求項４１】
アセットを放送網のユーザに配信することを評価する方法であって、放送網が主に放送コンテンツを複数のユーザに同期配信することを含む方法において、
アセットを、該放送網を介して複数の放送網のユーザの機器に配信して、該機器による実質的にリアルタイムの配信を行うこと、
該機器から、該複数の放送網ユーザの該機器を介して該アセットの配信を示すレポートを受信すること、
該レポートに基づいて該アセットの配信について経済的価値を計算することと
を備える方法。
【請求項４２】
放送網において、前記アセットを受信した前記複数の放送網のユーザの数を決定することをさらに備える、請求項４１に記載の方法。
【請求項４３】
前記アセットの配信の価値を計算するために前記アセットを受信した前記複数の放送網のユーザの前記数を価値ファクタに掛けることをさらに備える、請求項４２に記載の方法。
【請求項４４】
前記放送網は、衛星またはケーブルを介して前記アセットを配信する、請求項４２に記載の方法。
【請求項４５】
前記放送網は、ラジオ・放送網またはテレビ放送網のいずれかである、請求項４２に記載の方法。
【請求項４６】
前記アセットの配信を決定するために前記機器からの要求を処理することをさらに含む、請求項４１に記載の方法。
【請求項４７】
前記アセットは、広告を含む、請求項４６に記載の方法。
【請求項４８】
前記アセットを配信することは、
該機器でアセット・チャンネルに切り替えること、または
前記アセットを前記放送網のプラットフォームの前記コンテンツ内に挿入すること、または
それらの組み合わせ
を含む、請求項４１に記載の方法。